(57)【要約】【課題】ファイルの格納場所が不明であっても、出力するファイルの特定を容易にすること。【解決手段】端末３は、自端末が有する複数のファイルから出力対象の候補を抽出する抽出手段３０１と、抽出された候補を表示する表示手段３０２と、表示された候補からの出力対象の選択を受け付ける受付手段３０３と、選択された出力対象を出力する出力手段３０４とを備える。抽出手段３０１は、複数のファイルに優先順位を付与し、当該優先順位に基づいて出力対象の候補を抽出する。【選択図】図３
2020205645.tif 000002
【特許請求の範囲】
【請求項１】
自端末が有する複数のファイルから出力対象の候補を抽出する抽出手段と、
抽出された前記候補を表示する表示手段と、
表示された前記候補からの出力対象の選択を受け付ける受付手段と、
選択された前記出力対象を出力する出力手段と
を備えた端末。
【請求項２】
前記抽出手段は、前記複数のファイルに優先順位を付与し、当該優先順位に基づいて出力対象の候補を抽出する請求項１に記載の端末。
【請求項３】
前記抽出手段は、前記複数のファイルの日時情報に基づいて当該複数のファイルに優先順位を付与する請求項２に記載の端末。
【請求項４】
前記抽出手段は、自端末がファイルを処理した日時が新しいほど高い優先順位を付与する請求項３に記載の端末。
【請求項５】
前記日時情報は、自端末がファイルをダウンロードした日時である請求項４に記載の端末。
【請求項６】
前記日時情報は、自端末がファイルの添付されたメールを受信又は送信した日時である請求項４に記載の端末。
【請求項７】
前記抽出手段は、受信した前記メールに添付されたファイルのうち、未読のメールに添付されたファイルに、既読のメールに添付されたファイルよりも低い優先順位を付与する請求項６に記載の端末。
【請求項８】
前記日時情報は、自端末がファイルを作成した日時である請求項４に記載の端末。
【請求項９】
前記抽出手段は、作成された前記ファイルのうち、作成後に更新されたファイルに、作成後に更新されていないファイルよりも高い優先順位を付与する請求項８に記載の端末。
【請求項１０】
前記日時情報は、ファイルが最後に閲覧された日時である請求項４に記載の端末。
【請求項１１】
前記抽出手段は、前記複数のファイルの種別に基づいて当該複数のファイルに優先順位を付与する請求項２又は３に記載の端末。
【請求項１２】
前記抽出手段は、文書ファイルに他の種別のファイルよりも高い優先順位を付与する請求項１１に記載の端末。
【請求項１３】
前記抽出手段は、拡張子がtxt、doc、pdfであるファイルに他の拡張子のファイルよりも高い優先順位を付与する請求項１２に記載の端末。
【請求項１４】
前記抽出手段は、画像ファイルに他の種別のファイルよりも高い優先順位を付与する請求項１１に記載の端末。
【請求項１５】
前記抽出手段は、写真画像ファイルに他の画像ファイルよりも高い優先順位を付与する請求項１４に記載の端末。
【請求項１６】
前記抽出手段は、拡張子がjpg、bmp、tiffであるファイルに他の拡張子のファイルよりも高い優先順位を付与する請求項１５に記載の端末。
【請求項１７】
前記抽出手段は、文書ファイルでも静止画像ファイルでもないファイルに文書ファイルと静止画像ファイルよりも低い優先順位を付与する請求項１１に記載の端末。
【請求項１８】
前記抽出手段は、文書にも静止画像にも属さない拡張子を有するファイルに文書又は静止画像に属する拡張子を有するファイルよりも低い優先順位を付与する請求項１７に記載の端末。
【請求項１９】
前記抽出手段は、実行ファイルと音声ファイルと動画ファイルと圧縮ファイルにそれ以外のファイルよりも低い優先順位を付与する請求項１８に記載の端末。
【請求項２０】
前記抽出手段は、モノクロ写真のファイルにカラー写真のファイルよりも低い鵜優先順位を付与する請求項１１に記載の端末。
【請求項２１】
前記抽出手段は、前記複数のファイルに関連付けられたアプリケーションに基づいて当該複数のファイルに優先順位を付与する請求項２、３又は１１のいずれか１項に記載の端末。
【請求項２２】
前記抽出手段は、ファイルの生成と加工の少なくとも一方を行うアプリケーションに関連付けられたファイルに、ファイルの生成及び加工を行わないアプリケーションに関連付けられたファイルよりも高い優先順位を付与する請求項２１に記載の端末。
【請求項２３】
前記抽出手段は、文書と静止画像の少なくとも一方を扱うアプリケーションに関連付けられたファイルに、文書と静止画像を扱わないアプリケーションに関連付けられたファイルよりも高い優先順位を付与する請求項２１に記載の端末。
【請求項２４】
前記抽出手段は、最後に起動されてからの経過期間が閾値未満であるアプリケーションに関連付けられたファイルに、最後に起動されてからの経過期間が閾値以上であるアプリケーションに関連付けられたファイルよりも高い優先順位を付与する請求項２１に記載の端末。
【請求項２５】
前記抽出手段は、起動頻度が閾値以上であるアプリケーションに関連付けられたファイルに、起動頻度が閾値未満であるアプリケーションに関連付けられたファイルよりも高い優先順位を付与する請求項２１に記載の端末。
【請求項２６】
前記抽出手段は、ファイルの生成と加工を行わないアプリケーションに関連付けられたファイルに、ファイルの生成と加工の少なくとも一方を行うアプリケーションに関連付けられたファイルよりも低い優先順位を付与する請求項２１に記載の端末。
【請求項２７】
前記抽出手段は、文書と静止画像を扱わないアプリケーションに関連付けられたファイルに、文書と静止画像の少なくとも一方を扱うアプリケーションに関連付けられたファイルよりも低い優先順位を付与する請求項２１に記載の端末。
【請求項２８】
前記抽出手段は、最後に起動されてからの経過期間が閾値以上であるアプリケーションに関連付けられたファイルに、最後に起動されてからの経過期間が閾値未満であるアプリケーションに関連付けられたファイルよりも低い優先順位を付与する請求項２１に記載の端末。
【請求項２９】
前記抽出手段は、起動頻度が閾値未満であるアプリケーションに関連付けられたファイルに、起動頻度が閾値以上であるアプリケーションに関連付けられたファイルよりも低い優先順位を付与する請求項２１に記載の端末。
【請求項３０】
前記抽出手段は、自端末の状態に基づいて前記複数のファイルに優先順位を付与する請求項２、３、１１又は２１のいずれか１項に記載の端末。
【請求項３１】
前記抽出手段は、自端末の姿勢に基づいて前記複数のファイルに優先順位を付与する請求項３０に記載の端末。
【請求項３２】
前記抽出手段は、自端末の表示面の長手方向とファイルの画像の長手方向とが同方向であるファイルに、自端末の表示面の長手方向とファイルの画像の長手方向とが同方向でないファイルよりも高い優先順位を付与する請求項３１に記載の端末。
【請求項３３】
前記抽出手段は、自端末の表示面の長手方向とアプリケーションの画像の長手方向とが同方向であるアプリケーションに関連付けられたファイルに、自端末の表示面の長手方向とアプリケーションの画像の長手方向とが同方向でないアプリケーションに関連付けられたファイルよりも高い優先順位を付与する請求項３１に記載の端末。
【請求項３４】
前記抽出手段は、自端末で実行中のアプリケーションに基づいて前記複数のファイルに優先順位を付与する請求項３０に記載の端末。
【請求項３５】
前記抽出手段は、自端末で実行中のアプリケーションに関連するファイルに、自端末で実行中のアプリケーションに関連しないファイルよりも高い優先順位を付与する請求項３４に記載の端末。
【請求項３６】
前記抽出手段は、自端末のログイン状態に基づいて前記複数のファイルに優先順位を付与する請求項３０に記載の端末。
【請求項３７】
コンピュータを、請求項１乃至３６のいずれか１項に記載の端末として機能させるためのプログラム。
【発明の詳細な説明】
【技術分野】
【０００１】
本発明は、端末及びプログラムに関する。
【背景技術】
【０００２】
特許文献１には、情報処理装置と印刷装置とを有し、それらの間で近接無線を用いた通信を行う技術が記載されている。情報処理装置は、印刷装置との間で近接無線による通信が可能になったことを検出し、近接無線による通信が可能になったことを検出した場合に、自身が備える表示器に表示している文書について印刷装置で印刷可能な形式の印刷データを生成し、生成された印刷データを、近接無線を用いて印刷装置に送信する。印刷装置は、情報処理装置から近接無線を介して受信した印刷データを印刷する。
特許文献２には、印刷装置からの制御により情報処理装置内のファイルを印刷する技術が記載されている。携帯端末内の画像ファイルのうち、印刷対象外ファイルをプリンタが画像ファイルとして判定できない状態にし、印刷対象ファイルをプリンタが画像ファイル
として判定できる状態にする。これにより、ユーザがプリンタを操作して携帯端末内の印
刷対象ファイルを印刷させる場合に、ユーザがプリンタを操作して携帯端末内の画像ファ
イルを確認すると、印刷対象ファイルが画像ファイルとして見つかる。
【先行技術文献】
【特許文献】
【０００３】
【特許文献１】特開２００９−２５１８２３号公報
【特許文献２】特開２０１３−１２１１１号公報
【発明の概要】
【発明が解決しようとする課題】
【０００４】
情報処理端末内に保存されているファイル（文書ファイルや画像ファイルなど）を画像形成装置などに対して出力する技術が知られている。当技術では、ユーザが出力対象のファイルを特定することになる。ここで、その出力対象のファイルの検索や特定には時間を要すことがあり、特に、ユーザが情報処理端末の操作に詳しくない場合には、出力したいファイルが情報処理端末内のどこにあるのかが簡単に分からず、より時間を要することになる場合もある。例えばＷｅｂページ閲覧中にダウンロードしたファイルは、情報処理端末内のどこに格納されたかがすぐには分からないケースがある。また、情報処理端末で作成・加工したファイルや、あるアプリケーションで使用したファイルは、情報処理端末の仕様やＯＳの仕様などに依存して保存場所や保存方法が異なることもあり、そのような場合は出力対象ファイルを見つけて特定するにはより時間を要することになる。
本課題に鑑み本発明は、ファイルの格納場所が不明であっても、出力するファイルの特定を容易にすることを目的とする。
【課題を解決するための手段】
【０００５】
請求項１に係る発明は、自端末が有する複数のファイルから出力対象の候補を抽出する抽出手段と、抽出された前記候補を表示する表示手段と、表示された前記候補からの出力対象の選択を受け付ける受付手段と、選択された前記出力対象を出力する出力手段とを備えた端末を提供する。
請求項２に係る発明は、請求項１に記載の端末において、前記抽出手段は、前記複数のファイルに優先順位を付与し、当該優先順位に基づいて出力対象の候補を抽出する。
【０００６】
請求項３に係る発明は、請求項２に記載の端末において、前記抽出手段は、前記複数のファイルの日時情報に基づいて当該複数のファイルに優先順位を付与する。
請求項４に係る発明は、請求項３に記載の端末において、前記抽出手段は、自端末がファイルを処理した日時が新しいほど高い優先順位を付与する。
請求項５に係る発明は、請求項４に記載の端末において、前記日時情報は、自端末がファイルをダウンロードした日時である。
請求項６に係る発明は、請求項４に記載の端末において、前記日時情報は、自端末がファイルの添付されたメールを受信又は送信した日時である。
請求項７に係る発明は、請求項６に記載の端末において、前記抽出手段は、受信した前記メールに添付されたファイルのうち、未読のメールに添付されたファイルに、既読のメールに添付されたファイルよりも低い優先順位を付与する。
請求項８に係る発明は、請求項４に記載の端末において、前記日時情報は、自端末がファイルを作成した日時である。
請求項９に係る発明は、請求項８に記載の端末において、前記抽出手段は、作成された前記ファイルのうち、作成後に更新されたファイルに、作成後に更新されていないファイルよりも高い優先順位を付与する。
請求項１０に係る発明は、請求項４に記載の端末において、前記日時情報は、ファイルが最後に閲覧された日時である。
【０００７】
請求項１１に係る発明は、請求項２又は３に記載の端末において、前記抽出手段は、前記複数のファイルの種別に基づいて当該複数のファイルに優先順位を付与する。
請求項１２に係る発明は、請求項１１に記載の端末において、前記抽出手段は、文書ファイルに他の種別のファイルよりも高い優先順位を付与する。
請求項１３に係る発明は、請求項１２に記載の端末において、前記抽出手段は、拡張子がtxt、doc、pdfであるファイルに他の拡張子のファイルよりも高い優先順位を付与する。
請求項１４に係る発明は、請求項１１に記載の端末において、前記抽出手段は、画像ファイルに他の種別のファイルよりも高い優先順位を付与する。
請求項１５に係る発明は、請求項１４に記載の端末において、前記抽出手段は、写真画像ファイルに他の画像ファイルよりも高い優先順位を付与する。
請求項１６に係る発明は、請求項１５に記載の端末において、前記抽出手段は、拡張子がjpg、bmp、tiffであるファイルに他の拡張子のファイルよりも高い優先順位を付与する。
請求項１７に係る発明は、請求項１１に記載の端末において、前記抽出手段は、文書ファイルでも静止画像ファイルでもないファイルに文書ファイルと静止画像ファイルよりも低い優先順位を付与する。
請求項１８に係る発明は、請求項１７に記載の端末において、前記抽出手段は、文書にも静止画像にも属さない拡張子を有するファイルに文書又は静止画像に属する拡張子を有するファイルよりも低い優先順位を付与する。
請求項１９に係る発明は、請求項１８に記載の端末において、前記抽出手段は、実行ファイルと音声ファイルと動画ファイルと圧縮ファイルにそれ以外のファイルよりも低い優先順位を付与する。
請求項２０に係る発明は、請求項１１に記載の端末において、前記抽出手段は、モノクロ写真のファイルにカラー写真のファイルよりも低い鵜優先順位を付与する。
【０００８】
請求項２１に係る発明は、請求項２、３又は１１のいずれか１項に記載の端末において、前記抽出手段は、前記複数のファイルに関連付けられたアプリケーションに基づいて当該複数のファイルに優先順位を付与する。
請求項２２に係る発明は、請求項２１に記載の端末において、前記抽出手段は、ファイルの生成と加工の少なくとも一方を行うアプリケーションに関連付けられたファイルに、ファイルの生成及び加工を行わないアプリケーションに関連付けられたファイルよりも高い優先順位を付与する。
請求項２３に係る発明は、請求項２１に記載の端末において、前記抽出手段は、文書と静止画像の少なくとも一方を扱うアプリケーションに関連付けられたファイルに、文書と静止画像を扱わないアプリケーションに関連付けられたファイルよりも高い優先順位を付与する。
請求項２４に係る発明は、請求項２１に記載の端末において、前記抽出手段は、最後に起動されてからの経過期間が閾値未満であるアプリケーションに関連付けられたファイルに、最後に起動されてからの経過期間が閾値以上であるアプリケーションに関連付けられたファイルよりも高い優先順位を付与する。
請求項２５に係る発明は、請求項２１に記載の端末において、前記抽出手段は、起動頻度が閾値以上であるアプリケーションに関連付けられたファイルに、起動頻度が閾値未満であるアプリケーションに関連付けられたファイルよりも高い優先順位を付与する。
請求項２６に係る発明は、請求項２１に記載の端末において、前記抽出手段は、ファイルの生成と加工を行わないアプリケーションに関連付けられたファイルに、ファイルの生成と加工の少なくとも一方を行うアプリケーションに関連付けられたファイルよりも低い優先順位を付与する。
請求項２７に係る発明は、請求項２１に記載の端末において、前記抽出手段は、文書と静止画像を扱わないアプリケーションに関連付けられたファイルに、文書と静止画像の少なくとも一方を扱うアプリケーションに関連付けられたファイルよりも低い優先順位を付与する。
請求項２８に係る発明は、請求項２１に記載の端末において、前記抽出手段は、最後に起動されてからの経過期間が閾値以上であるアプリケーションに関連付けられたファイルに、最後に起動されてからの経過期間が閾値未満であるアプリケーションに関連付けられたファイルよりも低い優先順位を付与する。
請求項２９に係る発明は、請求項２１に記載の端末において、前記抽出手段は、起動頻度が閾値未満であるアプリケーションに関連付けられたファイルに、起動頻度が閾値以上であるアプリケーションに関連付けられたファイルよりも低い優先順位を付与する。
【０００９】
請求項３０に係る発明は、請求項２、３、１１又は２１のいずれか１項に記載の端末において、前記抽出手段は、自端末の状態に基づいて前記複数のファイルに優先順位を付与する。
請求項３１に係る発明は、請求項３０に記載の端末において、前記抽出手段は、自端末の姿勢に基づいて前記複数のファイルに優先順位を付与する。
請求項３２に係る発明は、請求項３１に記載の端末において、前記抽出手段は、自端末の表示面の長手方向とファイルの画像の長手方向とが同方向であるファイルに、自端末の表示面の長手方向とファイルの画像の長手方向とが同方向でないファイルよりも高い優先順位を付与する。
請求項３３に係る発明は、請求項３１に記載の端末において、前記抽出手段は、自端末の表示面の長手方向とアプリケーションの画像の長手方向とが同方向であるアプリケーションに関連付けられたファイルに、自端末の表示面の長手方向とアプリケーションの画像の長手方向とが同方向でないアプリケーションに関連付けられたファイルよりも高い優先順位を付与する。
請求項３４に係る発明は、請求項３０に記載の端末において、前記抽出手段は、自端末で実行中のアプリケーションに基づいて前記複数のファイルに優先順位を付与する。
請求項３５に係る発明は、請求項３４に記載の端末において、前記抽出手段は、自端末で実行中のアプリケーションに関連するファイルに、自端末で実行中のアプリケーションに関連しないファイルよりも高い優先順位を付与する。
請求項３６に係る発明は、請求項３０に記載の端末において、前記抽出手段は、自端末のログイン状態に基づいて前記複数のファイルに優先順位を付与する。
請求項３７に係る発明は、コンピュータを、請求項１乃至３６のいずれか１項に記載の端末として機能させるためのプログラムを提供する。
【発明の効果】
【００１０】
請求項１、３７に係る発明によれば、ファイルの格納場所が不明であっても、出力するファイルの特定を容易にすることができる。
請求項２に係る発明によれば、優先順位を付与しない場合と比べて、出力するファイルの特定を容易にすることができる。
請求項３に係る発明によれば、ファイルの日時情報に基づいてファイルを特定することができる。
請求項４に係る発明によれば、自端末がファイルを処理した日時が新しいほど特定されやすくすることができる。
請求項５に係る発明によれば、自端末がファイルをダウンロードした日時が新しいほど特定されやすくすることができる。
請求項６に係る発明によれば、自端末がファイルの添付されたメールを受信又は送信した日時が新しいほど特定されやすくすることができる。
請求項７に係る発明によれば、受信した前記メールに添付されたファイルのうち、未読のメールに添付されたファイルを、既読のメールに添付されたファイルよりも特定されにくくすることができる。
請求項８に係る発明によれば、自端末がファイルを作成した日時が新しいほど特定されやすくすることができる。
請求項９に係る発明によれば、作成された前記ファイルのうち、作成後に更新されたファイルを、作成後に更新されていないファイルよりも特定されやすくすることができる。
請求項１０に係る発明によれば、ファイルが最後に閲覧された日時が新しいほど特定されやすくすることができる。
請求項１１に係る発明によれば、ファイルの種別に基づいてファイルを特定することができる。
請求項１２に係る発明によれば、文書ファイルを他の種別のファイルよりも特定されやすくすることができる。
請求項１３に係る発明によれば、拡張子がtxt、doc、pdfであるファイルを他の拡張子のファイルよりも特定されやすくすることができる。
請求項１４に係る発明によれば、画像ファイルを他の種別のファイルよりも特定されやすくすることができる。
請求項１５に係る発明によれば、写真画像ファイルを他の画像ファイルよりも特定されやすくすることができる。
請求項１６に係る発明によれば、拡張子がjpg、bmp、tiffであるファイルを他の拡張子のファイルよりも特定されやすくすることができる。
請求項１７に係る発明によれば、文書ファイルでも静止画像ファイルでもないファイルを文書ファイルと静止画像ファイルよりも特定されにくくすることができる。
請求項１８に係る発明によれば、文書にも静止画像にも属さない拡張子を有するファイルを文書又は静止画像に属する拡張子を有するファイルよりも特定されにくくすることができる。
請求項１９に係る発明によれば、実行ファイルと音声ファイルと動画ファイルと圧縮ファイルをそれ以外のファイルよりも特定されにくくすることができる。
請求項２０に係る発明によれば、モノクロ写真のファイルをカラー写真のファイルよりも特定されにくくすることができる。
請求項２１に係る発明によれば、前記複数のファイルに関連付けられたアプリケーションに基づいてファイルを特定することができる。
請求項２２に係る発明によれば、ファイルの生成と加工の少なくとも一方を行うアプリケーションに関連付けられたファイルを、ファイルの生成及び加工を行わないアプリケーションに関連付けられたファイルよりも特定されやすくすることができる。
請求項２３に係る発明によれば、文書と静止画像の少なくとも一方を扱うアプリケーションに関連付けられたファイルを、文書と静止画像を扱わないアプリケーションに関連付けられたファイルよりも特定されやすくすることができる。
請求項２４に係る発明によれば、最後に起動されてからの経過期間が閾値未満であるアプリケーションに関連付けられたファイルを、最後に起動されてからの経過期間が閾値以上であるアプリケーションに関連付けられたファイルよりも特定されやすくすることができる。
請求項２５に係る発明によれば、起動頻度が閾値以上であるアプリケーションに関連付けられたファイルを、起動頻度が閾値未満であるアプリケーションに関連付けられたファイルよりも特定されやすくすることができる。
請求項２６に係る発明によれば、ファイルの生成と加工を行わないアプリケーションに関連付けられたファイルを、ファイルの生成と加工の少なくとも一方を行うアプリケーションに関連付けられたファイルよりも特定されにくくすることができる。
請求項２７に係る発明によれば、文書と静止画像を扱わないアプリケーションに関連付けられたファイルを、文書と静止画像の少なくとも一方を扱うアプリケーションに関連付けられたファイルよりも特定されにくくすることができる。
請求項２８に係る発明によれば、最後に起動されてからの経過期間が閾値以上であるアプリケーションに関連付けられたファイルを、最後に起動されてからの経過期間が閾値未満であるアプリケーションに関連付けられたファイルよりも特定されにくくすることができる。
請求項２９に係る発明によれば、起動頻度が閾値未満であるアプリケーションに関連付けられたファイルを、起動頻度が閾値以上であるアプリケーションに関連付けられたファイルよりも特定されにくくすることができる。
請求項３０に係る発明によれば、自端末の状態に基づいてファイルを特定することができる。
請求項３１に係る発明によれば、自端末の姿勢に基づいてファイルを特定することができる。
請求項３２に係る発明によれば、自端末の表示面の長手方向とファイルの画像の長手方向とが同方向であるファイルを、自端末の表示面の長手方向とファイルの画像の長手方向とが同方向でないファイルよりも特定されやすくすることができる。
請求項３３に係る発明によれば、自端末の表示面の長手方向とアプリケーションの画像の長手方向とが同方向であるアプリケーションに関連付けられたファイルを、自端末の表示面の長手方向とアプリケーションの画像の長手方向とが同方向でないアプリケーションに関連付けられたファイルよりも特定されやすくすることができる。
請求項３４に係る発明によれば、自端末で実行中のアプリケーションに基づいてファイルを特定することができる。
請求項３５に係る発明によれば、自端末で実行中のアプリケーションに関連するファイルを、自端末で実行中のアプリケーションに関連しないファイルよりも特定されやすくすることができる。
請求項３６に係る発明によれば、自端末のログイン状態に基づいてファイルを特定することができる。
【図面の簡単な説明】
【００１１】
【図１】印刷装置１と端末３のハードウェア構成を示す図。
【図２】端末３の機能構成を示す図。
【図３】端末３が実行する処理の手順を示す流れ図。
【図４】端末３が実行する処理の手順を示す流れ図。
【図５】出力対象の候補の表示例を示す図。
【図６】端末３が実行する処理の手順を示す流れ図。
【図７】端末３が実行する処理の手順を示す流れ図。
【図８】端末３が実行する処理の手順を示す流れ図。
【発明を実施するための形態】
【００１２】
本発明を実施するための形態の一例について説明する。
図１は、印刷装置１と端末３のハードウェア構成を示す図である。印刷装置１は、印刷データに基づく画像を印刷する装置である。端末３は、例えば、スマートフォン、タブレット、ノート型のパーソナルコンピュータなどである。
【００１３】
次に、印刷装置１のハードウェア構成について説明する。制御部１１は、ＣＰＵ（Central Processing Unit）などの演算装置と、ＲＯＭ（Read Only Memory）やＲＡＭ（Random Access Memory）などの記憶装置とを備える。ＲＯＭには、ハードウェアやＯＳ（Operating System）の起動の手順を記述したファームウェアが記憶される。ＲＡＭには、ＣＰＵが演算を実行する際のデータが記憶される。記憶部１２は、例えばハードディスク記憶装置を備え、ＯＳやアプリケーションプログラムなどが記憶される。
【００１４】
通信部１３は、印刷装置１をＬＡＮ（Local Area Network）に接続するための通信Ｉ／Ｆ（Interface）である。ＬＡＮには、無線ＬＡＮのアクセスポイントが設けられており、通信部１３は、後述する端末３の通信部３３との間で、アクセスポイント経由で通信を行う。
【００１５】
近距離無線通信部１４は、例えば、端末３の近距離無線通信部に備えられた非接触型ＩＣ（Integrated Circuit）カードとの間で通信を行うリーダライタであり、端末３との間で近距離無線通信を行う。近距離無線通信部１４は、周期的に問い合わせ信号を発信し、ユーザが端末３を印刷装置１にかざすと、端末３の近距離無線通信部３４が問い合わせ信号を受信し、この受信を契機として、印刷装置１と端末３との近距離無線通信が開始される。
【００１６】
表示部１５は、例えば液晶表示装置であり、ユーザが印刷装置１を操作するための画面を表示する。受付部１６は、例えば表示部１５の表示面を覆うように設けられたタッチパネルであり、印刷装置１に対するユーザの操作を受け付ける。画像形成部１７は、ラスタデータに基づいて記録媒体に画像を形成する。画像形成部１７の構成は、電子写真方式、インクジェット方式など、いかなる構成でもよい。
【００１７】
次に、端末３のハードウェア構成について説明する。制御部３１は、ＣＰＵなどの演算装置と、ＲＯＭやＲＡＭなどの記憶装置とを備える。ＲＯＭには、ハードウェアやＯＳの起動の手順を記述したファームウェアが記憶される。ＲＡＭには、ＣＰＵが演算を実行する際のデータが記憶される。記憶部３２は、例えば不揮発性の半導体メモリを備え、ＯＳやアプリケーションプログラムなどが記憶される。
【００１８】
通信部３３は、端末３を無線ＬＡＮのアクセスポイントに接続するための通信Ｉ／Ｆであり、印刷装置１の通信部１３との間で、アクセスポイント経由で通信を行う。
【００１９】
近距離無線通信部３４は、例えば非接触型ＩＣカードを装着するスロットであり、印刷装置１との間で近距離無線通信を行う。なお、端末３を携帯電話の通信網に接続するための通信Ｉ／Ｆや、通話のためのスピーカ、マイクロホン、音声処理回路などが端末３に備えられていてもよい。
【００２０】
表示部３５は、例えば液晶表示装置であり、ユーザが携帯端末３を操作するための画面を表示する。受付部３６は、例えば表示部３５の表示面を覆うように設けられたタッチパネルであり、端末３に対するユーザの操作を受け付ける。
【００２１】
図２は、端末３の機能構成を示す図である。端末３は、自端末が有する複数のファイルから出力対象の候補を抽出する抽出手段３０１と、抽出された候補を表示する表示手段３０２と、表示された候補からの出力対象の選択を受け付ける受付手段３０３と、選択された出力対象を出力する出力手段３０４とを備える。抽出手段３０１は、複数のファイルに優先順位を付与し、当該優先順位に基づいて出力対象の候補を抽出する。以下、これらの機能の具体例について説明する。
【００２２】
（１）第１実施形態
図３は、端末３が実行する処理の手順を示す流れ図である。第１実施形態は、主に、ファイルの日時情報に基づいて優先順位を付与する例である。端末３の制御部３１は、端末３にインストールされたアプリケーションプログラムに従って以下の処理を実行する。
【００２３】
＜ステップＳ１０１＞
ユーザが印刷装置１に端末３をかざすことで、端末３が印刷装置１との間で近距離無線通信を開始する。
【００２４】
＜ステップＳ１０２＞
制御部３１が、印刷可能なファイルを抽出してサムネイル表示する（抽出手段３０１及び表示手段３０２の一例）。具体的には、以下のとおりである。
最初に、制御部３１が、印刷可能なファイルを抽出する。例えば、制御部３１は、pdfなどの文書ファイル、jpgなどの画像ファイルなど、表示や印刷が可能なファイルを抽出する。一方、exeファイルや音楽ファイルは抽出しない。
【００２５】
次に、制御部３１が、複数のファイルの日時情報に基づいて複数のファイルに優先順位を付与する。例えば、制御部３１は、自端末がファイルを処理した日時が新しいほど高い優先順位を付与する。この日時情報は、例えば、自端末がファイルをダウンロードした日時である。
【００２６】
次に、制御部３１が、優先順位の高いファイルから順に、決められた方向に並べてサムネイル表示する。表示するファイルの数は、端末３の表示面の大きさによるが、視認性の観点から、例えばスマートフォンの場合、１０個以下程度とする。なお、ファイル名だけでは印刷したいファイルが特定できないことがあるのでサムネイル表示するのが望ましいが、ファイル名の表示だけでもよい。
【００２７】
＜ステップＳ１０３＞
制御部３１が、印刷するファイルの選択を受け付ける（受付手段３０３の一例）。
＜ステップＳ１０４＞
制御部３１が、選択されたファイルを印刷装置１に送信する（出力手段３０４の一例）。印刷装置１は、受信したファイルを印刷する。ファイルの送信には、無線ＬＡＮを用いてもよく、近距離無線通信を用いてもよい。
【００２８】
なお、第１実施形態を以下のように変形してもよい。
日時情報は、自端末がファイルの添付されたメールを受信又は送信した日時でもよい。その場合、制御部３１が、受信したメールに添付されたファイルのうち、未読のメールに添付されたファイルに、既読のメールに添付されたファイルよりも低い優先順位を付与してもよい。
また、日時情報は、自端末がファイルを作成した日時でもよい。その場合、制御部３１が、作成されたファイルのうち、作成後に更新されたファイルに、作成後に更新されていないファイルよりも高い優先順位を付与してもよい。
また、日時情報は、ファイルが最後に閲覧された日時でもよい。
【００２９】
（２）第２実施形態
図４は、端末３が実行する処理の手順を示す流れ図である。第２実施形態は、主に、ファイルの種別に基づいて優先順位を付与する例である。
＜ステップＳ２０１＞
ユーザが印刷装置１に端末３をかざすことで、端末３が印刷装置１との間で近距離無線通信を開始する。
【００３０】
＜ステップＳ２０２＞
制御部３１が、ファイルの種別を示すアイコンを表示する。具体的には、以下のとおりである。
最初に、制御部３１は、印刷可能なファイルを、ダウンロードしたファイル、撮影した写真、メール、メール添付ファイルなどの種別に分類する。
【００３１】
次に、制御部３１は、複数のファイルの種別に基づいて当該複数のファイルに優先順位を付与する。例えば、制御部３１は、印刷する可能性の高い種別のファイルほど高い優先順位を付与する。印刷する可能性の高いファイルとは、例えば、文書ファイルであり、制御部３１は、文書ファイルに他の種別のファイルよりも高い優先順位を付与する。文書ファイルとは、例えば、拡張子がtxt、doc、pdfであるファイルであり、制御部３１は、これらの拡張子のファイルに他の拡張子のファイルよりも高い優先順位を付与する。
図５は、出力対象の候補の表示例を示す図である。制御部３１は、優先順位の高い種別のアイコンから順に、決められた方向に並べて表示し、印刷するファイルの種別の選択を受け付ける。
【００３２】
＜ステップＳ２０３＞
制御部３１が、優先順位の高いファイルから順に、決められた方向に並べてサムネイル表示する（図５参照）。
＜ステップＳ２０４＞
制御部３１が、印刷するファイルの選択を受け付ける。
＜ステップＳ２０５＞
制御部３１が、選択されたファイルを印刷装置１に送信する。印刷装置１は、受信したファイルを印刷する。
【００３３】
なお、第２実施形態を以下のように変形してもよい。
制御部３１が、画像ファイルに他の種別のファイルよりも高い優先順位を付与してもよい。その場合、制御部３１が、例えば、写真画像ファイルに他の画像ファイルよりも高い優先順位を付与してもよい。写真画像ファイルとは、例えば、拡張子がjpg、bmp、tiffであるファイルであり、制御部３１が、これらの拡張子ファイルに他の拡張子のファイルよりも高い優先順位を付与してもよい。
【００３４】
また、制御部３１が、印刷する可能性が低い種別のファイルほど低い優先順位を付与してもよい。例えば、制御部３１が、文書ファイルでなく静止画像ファイルでもないファイルに文書ファイルと静止画像ファイルよりも低い優先順位を付与してもよい。具体的には、制御部３１が、文書にも静止画像にも属さない拡張子を有するファイルに文書又は静止画像に属する拡張子を有するファイルよりも低い優先順位を付与してもよい。より具体的には、制御部３１が、実行ファイルと音声ファイルと動画ファイルと圧縮ファイルにそれ以外のファイルよりも低い優先順位を付与してもよい。
また、制御部３１が、モノクロ写真のファイルにカラー写真のファイルよりも低い鵜優先順位を付与してもよい。
【００３５】
（３）第３実施形態
図６は、端末３が実行する処理の手順を示す流れ図である。第３実施形態は、ダウンロードファイルのみを対象とする例であるが、ダウンロードファイル格納フォルダが１つの場合と複数の場合とで手順が異なっている。
【００３６】
（ａ）ダウンロードファイル格納フォルダが１つの場合
＜ステップＳ３０１＞
ユーザが印刷装置１に端末３をかざすことで、端末３が印刷装置１との間で近距離無線通信を開始する。
＜ステップＳ３０２＞
制御部３１が、ダウンロードファイル格納フォルダ内のファイルを、優先順位の高いファイルから順に、決められた方向に並べてサムネイル表示する。
＜ステップＳ３０３＞
制御部３１が、印刷するファイルの選択を受け付ける。
＜ステップＳ３０４＞
制御部３１が、選択されたファイルを印刷装置１に送信する。印刷装置１は、受信したファイルを印刷する。
【００３７】
（ｂ）ダウンロードファイル格納フォルダが複数の場合
＜ステップＳ４０１＞
ユーザが印刷装置１に端末３をかざすことで、端末３が印刷装置１との間で近距離無線通信を開始する。
＜ステップＳ４０２＞
制御部３１が、複数のダウンロードファイル格納フォルダを示すアイコンを表示する。制御部３１が、印刷するダウンロードファイル格納フォルダのアイコンの選択を受け付ける。
＜ステップＳ４０３＞
制御部３１が、選択されたダウンロードファイル格納フォルダ内のファイルを、優先順位の高いファイルから順に、決められた方向に並べてサムネイル表示する（図５参照）。
＜ステップＳ４０４＞
制御部３１が、印刷するファイルの選択を受け付ける。
＜ステップＳ４０５＞
制御部３１が、選択されたファイルを印刷装置１に送信する。印刷装置１は、受信したファイルを印刷する。
【００３８】
（４）第４実施形態
図７は、端末３が実行する処理の手順を示す流れ図である。第４実施形態は、最後にダウンロードされた印刷可能なファイル、又は、最後にアクセスされた印刷可能なファイルのいずれかを自動的に選択する例である。
＜ステップＳ５０１＞
ユーザが印刷装置１に端末３をかざすことで、端末３が印刷装置１との間で近距離無線通信を開始する。
＜ステップＳ５０２＞
制御部３１が、最後にダウンロードされた印刷可能なファイル、又は、最後にアクセスされた印刷可能なファイルのいずれかを自動的に選択する。
【００３９】
＜ステップＳ５０３＞
制御部３１が、選択されたファイルのプレビューを表示する。ユーザは、プレビューが表示されているファイルを印刷する場合には予め決められた操作を行う。この操作は、例えば、ＯＫなどのボタンや、プレビューの表示領域などにユーザが触れるなどの操作である。
＜ステップＳ５０４＞
制御部３１が、選択されたファイルを印刷装置１に送信する。印刷装置１は、受信したファイルを印刷する。
【００４０】
（５）第５実施形態
図８は、端末３が実行する処理の手順を示す流れ図である。第５実施形態は、印刷対象として抽出するファイルを日付で限定する例である。端末の操作やファイル形式に詳しくないユーザであっても、対象ファイルの日付（写真を撮影した日や、メールを受信した日、もしくはその日付の範囲）を覚えていれば、その日付から印刷するファイルの候補が抽出される。
＜ステップＳ６０１＞
ユーザが印刷装置１に端末３をかざすことで、端末３が印刷装置１との間で近距離無線通信を開始する。
＜ステップＳ６０２＞
制御部３１が、印刷対象とするファイルの日付又は日付の範囲の指定を受け付ける。
【００４１】
＜ステップＳ６０３＞
制御部３１が、指定された日付又は日付の範囲に該当する、印刷可能なファイルの種別を表示する。具体的には、ダウンロードしたファイル、撮影した写真、メール、メール添付ファイルなどの種別分けをして、カテゴリを示すアイコンを表示する。ユーザは、印刷する種別のアイコンを選択する。
＜ステップＳ６０４＞
制御部３１が、選択された種別のファイルを、優先順位の高いファイルから順に、決められた方向に並べてサムネイル表示する（図５参照）。
＜ステップＳ６０５＞
制御部３１が、印刷するファイルの選択を受け付ける。
＜ステップＳ６０６＞
制御部３１が、選択されたファイルを印刷装置１に送信する。印刷装置１は、受信したファイルを印刷する。
【００４２】
上記の実施形態を以下の変形例のように変形してもよい。
＜変形例１＞
上記の実施形態では、出力対象の候補の抽出における優先順位の付与について、種々の手法を例示したが、２つ以上の手法を組み合わせてもよい。また、以下の変形例を上記の実施形態で示した手法と組み合わせてもよい。
【００４３】
＜変形例２＞
この変形例は、主に、ファイルに関連付けられたアプリケーションに基づいて優先順位を付与する例である。
制御部３１が、複数のファイルに関連付けられたアプリケーションに基づいて当該複数のファイルに優先順位を付与してもよい。
例えば、制御部３１が、印刷の可能性の高いアプリケーションに関連付けられたファイルほど高い優先順位を付与する。具体的には、制御部３１が、ファイルの生成と加工の少なくとも一方を行うアプリケーションに関連付けられたファイルに、ファイルの生成及び加工を行わないアプリケーションに関連付けられたファイルよりも高い優先順位を付与してもよい。あるいは、制御部３１が、文書と静止画像の少なくとも一方を扱うアプリケーションに関連付けられたファイルに、文書と静止画像を扱わないアプリケーションに関連付けられたファイルよりも高い優先順位を付与してもよい。あるいは、制御部３１が、最後に起動されてからの経過期間が閾値未満であるアプリケーションに関連付けられたファイルに、最後に起動されてからの経過期間が閾値以上であるアプリケーションに関連付けられたファイルよりも高い優先順位を付与してもよい。あるいは、制御部３１が、起動頻度が閾値以上であるアプリケーションに関連付けられたファイルに、起動頻度が閾値未満であるアプリケーションに関連付けられたファイルよりも高い優先順位を付与してもよい。
【００４４】
また、制御部３１が、印刷の可能性の低いアプリケーションに関連付けられたファイルほど低い優先順位を付与してもよい・BR>B具体的には、制御部３１が、ファイルの生成と加工を行わないアプリケーションに関連付けられたファイルに、ファイルの生成と加工の少なくとも一方を行うアプリケーションに関連付けられたファイルよりも低い優先順位を付与してもよい。あるいは、制御部３１が、文書と静止画像を扱わないアプリケーションに関連付けられたファイルに、文書と静止画像の少なくとも一方を扱うアプリケーションに関連付けられたファイルよりも低い優先順位を付与してもよい。あるいは、制御部３１が、最後に起動されてからの経過期間が閾値以上であるアプリケーションに関連付けられたファイルに、最後に起動されてからの経過期間が閾値未満であるアプリケーションに関連付けられたファイルよりも低い優先順位を付与してもよい。あるいは、制御部３１が、起動頻度が閾値未満であるアプリケーションに関連付けられたファイルに、起動頻度が閾値以上であるアプリケーションに関連付けられたファイルよりも低い優先順位を付与してもよい。
【００４５】
＜変形例３＞
この変形例は、主に、端末の状態に基づいて優先順位を付与する例である。
制御部３１が、自端末の状態に基づいて複数のファイルに優先順位を付与してもよい。例えば、制御部３１が、自端末の姿勢に基づいて複数のファイルに優先順位を付与してもよい。具体的には、制御部３１が、自端末の表示面の長手方向とファイルの画像の長手方向とが同方向であるファイルに、自端末の表示面の長手方向とファイルの画像の長手方向とが同方向でないファイルよりも高い優先順位を付与してもよい。ここで、長手方向とは、表示面や画像が長方形である場合に、その長辺の延びる方向である。
【００４６】
あるいは、制御部３１が、自端末の表示面の長手方向とアプリケーションの画像の長手方向とが同方向であるアプリケーションに関連付けられたファイルに、自端末の表示面の長手方向とアプリケーションの画像の長手方向とが同方向でないアプリケーションに関連付けられたファイルよりも高い優先順位を付与してもよい。ここで、アプリケーションの画像とは、例えば、アプリケーションを実行した場合に表示されるウィンドウである。
【００４７】
また、制御部３１が、自端末で実行中のアプリケーションに基づいて複数のファイルに優先順位を付与してもよい。例えば、制御部３１が、自端末で実行中のアプリケーションに関連するファイルに、自端末で実行中のアプリケーションに関連しないファイルよりも高い優先順位を付与してもよい。
【００４８】
また、制御部３１が、自端末のログイン状態に基づいて複数のファイルに優先順位を付与してもよい。例えば、制御部３１が、自端末にログインしているユーザに関連付けられたファイルを対象として上記の手法で優先順位を付与してもよい。
【００４９】
＜変形例４＞
ＯＳによっては、ファイルが、そのファイルに関連するアプリケーションと一体化されて記憶されるアプリケーションが提供されている場合がある。この場合には、制御部３１が、印刷可能なファイルに関連するアプリケーションを出力対象の候補として抽出してもよい。この場合、制御部３１が、アプリケーションの起動履歴を参照して、起動の日時が新しいほど高い優先順位を付与してもよい。
【００５０】
＜変形例５＞
電子メールがメールアプリケーションと一体化されて記憶されるメールアプリケーションが提供されている場合がある。この場合には、ユーザが、メールアプリケーションを起動し、出力対象のメールや添付ファイルを選択して出力してもよい。
【００５１】
＜変形例６＞
電子メールがクラウドのストレージに保存されるメールアプリケーションの場合、ユーザが、メールアプリケーションを起動し、出力対象のメールや添付ファイルを選択し、選択したメールや添付ファイルを端末３にダウンロードして出力してもよい。出力後は、ダウンロードしたメール添付ファイルを削除しておくことが望ましいが、そのまま残しておいても良い。
【００５２】
＜変形例７＞
ファイルがクラウドのストレージに保存されるアプリケーションの場合、制御部３１が、そのアプリケーションを使用しているか否かを起動の履歴から判断し、使用しているアプリケーションを抽出し、その種別を表示してもよい。ユーザは、表示された種別から出力対象のアプリケーションを選択して起動し、クラウドのストレージに保存されているファイルから印刷対象の候補を選択し、選択した候補を端末にダウンロードして出力してもよい。出力後は、ダウンロードしたファイルを削除しておくことが望ましいが、そのまま残しておいても良い。
【００５３】
＜変形例８＞
上記の実施形態及び変形例で例示した機能は、主に端末の操作に不慣れなユーザを想定した機能である。従って、ユーザが端末３を印刷装置１にかざした場合に、端末３の操作に不慣れなユーザのための設定や仕様に自端末がなっているか否かを制御部３１が判断し、そのような設定や仕様になっている場合に、制御部３１が上記の処理を実行するように
してもよい。また、上記の処理を実行するか否かをユーザに判断させるようにしてもよい。
【００５４】
＜変形例９＞
上記の実施形態では、ファイルの出力の一例として、ファイルを印刷装置１に送信する構成を例示したが、印刷装置１以外の電子機器へのファイルの送信や転送などに本発明を適用してもよい。
【００５５】
＜変形例１０＞
上記の実施形態では、抽出手段３０１が端末３に備えられた例を示したが、抽出手段３０１の機能を外部の装置が実現するように構成してもよい。例えば、クラウドのストレージに保存されているファイルについては、クラウドのサーバが出力対象の候補を抽出するようにしてもよい。
また、上記の機能の一部又は全部がハードウェア回路で端末３に実装されていてもよい。また、上記の機能を実現するアプリケーションを、光記録媒体や半導体メモリなど、コンピュータで読み取り可能な記録媒体に記録して提供してもよい。また、このアプリケーションを電気通信回線で提供してもよい。
【符号の説明】
【００５６】
１…印刷装置、１１…制御部、１２…記憶部、１３…通信部、１４…近距離無線通信部、１５…表示部、１６…受付部、１７…画像形成部、３…端末、３１…制御部、３２…記憶部、３３…通信部、３４…近距離無線通信部、３５…表示部、３６…受付部、３０１…抽出手段、３０２…表示手段、３０３…受付手段、３０４…出力手段
【図１】
2020205645.tif 000003
【図２】
2020205645.tif 000004
【図３】
2020205645.tif 000005
【図４】
2020205645.tif 000006
【図５】
2020205645.tif 000007
【図６】
2020205645.tif 000008
【図７】
2020205645.tif 000009
【図８】
2020205645.tif 000010
【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
自端末と出力装置との間で無線通信を行う無線通信部と、
前記無線通信で取得された前記出力装置が出力可能なファイルの情報を用いて、自端末が有する複数のファイルから前記出力装置で出力が可能なファイルを抽出する抽出手段と、
抽出された前記ファイルを表示する表示手段と、
表示された前記ファイルから前記出力装置へ出力するファイルの選択を受け付ける受付手段と、
選択されたファイルを前記出力装置に出力する出力手段と
を備えた端末。
【請求項２】
前記抽出手段は、前記出力装置が出力可能なファイルの情報が取得されると、前記出力装置で出力が可能なファイルの抽出を開始し、
前記表示手段は前記出力装置に応じた前記ファイルを表示する
請求項１に記載の端末。
【請求項３】
前記出力装置が出力可能なファイルの情報には、前記出力装置が出力可能なファイルの種別情報を含む
請求項１又は２に記載の端末。
【請求項４】
前記抽出手段は、選択されたファイルの種別に基づいて、自端末が有する複数のフォルダの中から当該種別に該当する複数のファイルを出力対象の候補として抽出する
請求項１乃至３のいずれか１項に記載の端末。
【請求項５】
前記抽出手段は、前記複数のファイルに優先順位を付与し、当該優先順位に基づいて出力対象の候補を抽出する請求項１乃至４のいずれか１項に記載の端末。
【請求項６】
前記抽出手段は、前記複数のファイルの日時情報に基づいて当該複数のファイルに優先順位を付与する請求項５に記載の端末。
【請求項７】
前記抽出手段は、自端末がファイルを処理した日時が新しいほど高い優先順位を付与する請求項６に記載の端末。
【請求項８】
前記日時情報は、自端末がファイルをダウンロードした日時である請求項７に記載の端末。
【請求項９】
前記日時情報は、自端末がファイルの添付されたメールを受信又は送信した日時である請求項７に記載の端末。
【請求項１０】
前記抽出手段は、受信した前記メールに添付されたファイルのうち、未読のメールに添付されたファイルに、既読のメールに添付されたファイルよりも低い優先順位を付与する請求項９に記載の端末。
【請求項１１】
前記日時情報は、自端末がファイルを作成した日時である請求項７に記載の端末。
【請求項１２】
前記抽出手段は、作成された前記ファイルのうち、作成後に更新されたファイルに、作成後に更新されていないファイルよりも高い優先順位を付与する請求項１１に記載の端末。
【請求項１３】
前記日時情報は、ファイルが最後に閲覧された日時である請求項７に記載の端末。
【請求項１４】
前記抽出手段は、前記複数のファイルの種別に基づいて当該複数のファイルに優先順位を付与する請求項５又は６に記載の端末。
【請求項１５】
前記抽出手段は、文書ファイルに他の種別のファイルよりも高い優先順位を付与する請求項１４に記載の端末。
【請求項１６】
前記抽出手段は、拡張子がtxt、doc、pdfであるファイルに他の拡張子のファイルよりも高い優先順位を付与する請求項１５に記載の端末。
【請求項１７】
前記抽出手段は、画像ファイルに他の種別のファイルよりも高い優先順位を付与する請求項１４に記載の端末。
【請求項１８】
前記抽出手段は、写真画像ファイルに他の画像ファイルよりも高い優先順位を付与する請求項１７に記載の端末。
【請求項１９】
前記抽出手段は、拡張子がjpg、bmp、tiffであるファイルに他の拡張子のファイルよりも高い優先順位を付与する請求項１８に記載の端末。
【請求項２０】
前記抽出手段は、文書ファイルでも静止画像ファイルでもないファイルに文書ファイルと静止画像ファイルよりも低い優先順位を付与する請求項１４に記載の端末。
【請求項２１】
前記抽出手段は、文書にも静止画像にも属さない拡張子を有するファイルに文書又は静止画像に属する拡張子を有するファイルよりも低い優先順位を付与する請求項２０に記載の端末。
【請求項２２】
前記抽出手段は、実行ファイルと音声ファイルと動画ファイルと圧縮ファイルにそれ以外のファイルよりも低い優先順位を付与する請求項２１に記載の端末。
【請求項２３】
前記抽出手段は、モノクロ写真のファイルにカラー写真のファイルよりも低い鵜優先順位を付与する請求項１４に記載の端末。
【請求項２４】
前記抽出手段は、前記複数のファイルに関連付けられたアプリケーションに基づいて当該複数のファイルに優先順位を付与する請求項５、６又は１４のいずれか１項に記載の端末。
【請求項２５】
前記抽出手段は、ファイルの生成と加工の少なくとも一方を行うアプリケーションに関連付けられたファイルに、ファイルの生成及び加工を行わないアプリケーションに関連付けられたファイルよりも高い優先順位を付与する請求項２４に記載の端末。
【請求項２６】
前記抽出手段は、文書と静止画像の少なくとも一方を扱うアプリケーションに関連付けられたファイルに、文書と静止画像を扱わないアプリケーションに関連付けられたファイルよりも高い優先順位を付与する請求項２４に記載の端末。
【請求項２７】
前記抽出手段は、最後に起動されてからの経過期間が閾値未満であるアプリケーションに関連付けられたファイルに、最後に起動されてからの経過期間が閾値以上であるアプリケーションに関連付けられたファイルよりも高い優先順位を付与する請求項２４に記載の端末。
【請求項２８】
前記抽出手段は、起動頻度が閾値以上であるアプリケーションに関連付けられたファイルに、起動頻度が閾値未満であるアプリケーションに関連付けられたファイルよりも高い優先順位を付与する請求項２４に記載の端末。
【請求項２９】
前記抽出手段は、ファイルの生成と加工を行わないアプリケーションに関連付けられたファイルに、ファイルの生成と加工の少なくとも一方を行うアプリケーションに関連付けられたファイルよりも低い優先順位を付与する請求項２４に記載の端末。
【請求項３０】
前記抽出手段は、文書と静止画像を扱わないアプリケーションに関連付けられたファイルに、文書と静止画像の少なくとも一方を扱うアプリケーションに関連付けられたファイルよりも低い優先順位を付与する請求項２４に記載の端末。
【請求項３１】
前記抽出手段は、最後に起動されてからの経過期間が閾値以上であるアプリケーションに関連付けられたファイルに、最後に起動されてからの経過期間が閾値未満であるアプリケーションに関連付けられたファイルよりも低い優先順位を付与する請求項２４に記載の端末。
【請求項３２】
前記抽出手段は、起動頻度が閾値未満であるアプリケーションに関連付けられたファイルに、起動頻度が閾値以上であるアプリケーションに関連付けられたファイルよりも低い優先順位を付与する請求項２４に記載の端末。
【請求項３３】
前記抽出手段は、自端末の状態に基づいて前記複数のファイルに優先順位を付与する請求項５、６、１４又は２４のいずれか１項に記載の端末。
【請求項３４】
前記抽出手段は、自端末の姿勢に基づいて前記複数のファイルに優先順位を付与する請求項３３に記載の端末。
【請求項３５】
前記抽出手段は、自端末の表示面の長手方向とファイルの画像の長手方向とが同方向であるファイルに、自端末の表示面の長手方向とファイルの画像の長手方向とが同方向でないファイルよりも高い優先順位を付与する請求項３４に記載の端末。
【請求項３６】
前記抽出手段は、自端末の表示面の長手方向とアプリケーションの画像の長手方向とが同方向であるアプリケーションに関連付けられたファイルに、自端末の表示面の長手方向とアプリケーションの画像の長手方向とが同方向でないアプリケーションに関連付けられたファイルよりも高い優先順位を付与する請求項３４に記載の端末。
【請求項３７】
前記抽出手段は、自端末で実行中のアプリケーションに基づいて前記複数のファイルに優先順位を付与する請求項３３に記載の端末。
【請求項３８】
前記抽出手段は、自端末で実行中のアプリケーションに関連するファイルに、自端末で実行中のアプリケーションに関連しないファイルよりも高い優先順位を付与する請求項３７に記載の端末。
【請求項３９】
前記抽出手段は、自端末のログイン状態に基づいて前記複数のファイルに優先順位を付与する請求項３３に記載の端末。
【請求項４０】
コンピュータを、請求項１乃至３９のいずれか１項に記載の端末として機能させるためのプログラム。
【請求項４１】
サーバと出力装置との間で無線通信を行う無線通信部と、
前記無線通信で取得された前記出力装置が出力可能なファイルの情報を用いて、サーバが有する複数のファイルから前記出力装置で出力が可能なファイルを抽出する抽出手段と、
抽出された前記ファイルを表示する表示手段と、
表示された前記ファイルから前記出力装置へ出力するファイルの選択を受け付ける受付手段と、
選択されたファイルを前記出力装置に出力する出力手段と
を備えたシステム。
【手続補正３】
【補正対象書類名】明細書
【補正対象項目名】０００１
【補正方法】変更
【補正の内容】
【０００１】
本発明は、端末、プログラム及びシステムに関する。
【手続補正４】
【補正対象書類名】明細書
【補正対象項目名】０００４
【補正方法】変更
【補正の内容】
【０００４】
情報処理端末内に保存されているファイル（文書ファイルや画像ファイルなど）を画像形成装置などに対して出力する技術が知られている。ユーザが自端末におけるファイルの選択をする際の、出力装置が出力可能なファイルを表示することを目的とする。